(57)【要約】【課題】転写テープのたるみを防止でき、構成部材を少なくして小型化及び設計の自由度の向上を図る塗膜転写具を提供する。【解決手段】開口部１０ａを有する有底筒状のケース１０を構成するケース半体１１，１２と、ケース内に回転可能に配設される繰出しリール２０及び巻取リール３０と、ケース半体の一方の開口部に配設される転写押圧部１３と、ケースの内外側に移動可能なスライド部材４０とを具備し、スライド部材は、転写開口４１ｅを有する枠部４１と、ケース内に移動自在に挿入されるスライド部４２と、ケースの底部に弾接して常時枠部をケース外方へ移動するばね部４３と、スライド部がケースの底部側に移動する際にのみ巻取リールと同軸上の巻取ギア３３と噛合するラックギア４４を一体に形成し、繰出しリールに巻装された転写テープは、転写押圧部の押圧面と繰出しリールに巻装された転写テープの粘着剤３に接触した状態で巻取リールに巻き取られる。【選択図】    図３
2017163274.tif 000002
【特許請求の範囲】
【請求項１】
一端に開口部を有する有底筒状のケースを構成する二分割されたケース半体と、
上記ケース内に回転可能に配設され、表面に塗膜が塗布された転写テープを巻装する繰出しリールと、
上記ケース内に回転可能に配設され、使い終わった転写テープを巻き取る巻取リールと、
上記ケース半体の一方の開口部に配設され、上記転写テープの裏面側を押圧する押圧面を有する転写押圧部と、
上記ケースの開口部を介して内外側に移動可能なスライド部材と、を具備するスタンプ型塗膜転写具であって、
上記スライド部材は、上記ケースの開口部の外方に露出し、上記開口部と連通する転写開口を有する枠部と、上記ケース内に移動自在に挿入されるスライド部と、上記ケースの底部に弾接して常時上記枠部をケースの外方へ移動するばね部と、上記スライド部が上記ケースの底部側に移動する際にのみ上記巻取リールと同軸上に設けられた巻取ギアと噛合するラックギアと、を一体に形成し、
上記繰出しリールに巻装された上記転写テープは、上記転写押圧部の押圧面と、繰出しリールに巻装された転写テープの表面に接触した状態で上記巻取リールに巻き取られる、
ことを特徴とするスタンプ型塗膜転写具。
【請求項２】
請求項１に記載のスタンプ型塗膜転写具において、
上記繰出しリールは、上記ケース半体に突設された支持軸に、回転自在に装着される筒状のテープコアにて形成されている、ことを特徴とするスタンプ型塗膜転写具。
【請求項３】
請求項１に記載のスタンプ型塗膜転写具において、
上記巻取ギアは、上記巻取リールの回動軸の軸方向の端部周面に設けられ、上記ラックギアは、上記スライド部の先端に直状に延設される弾性変形可能な板状突片の側面に設けられる、ことを特徴とするスタンプ型塗膜転写具。
【請求項４】
請求項１ないし３のいずれかに記載のスタンプ型塗膜転写具において、
上記枠部は、十字状に形成されると共に、互いに隣接する４つの角部の内方側の領域が、上記押圧転写部の押圧面より若干広く形成され、上記枠部の一辺に直状に連なる上記スライド部における上記枠部側に位置確認用の窓孔が設けられている、ことを特徴とするスタンプ型塗膜転写具。
【請求項５】
請求項１ないし４のいずれかに記載のスタンプ型塗膜転写具において、
上記転写押圧部における押圧面に隣接する側面に、使い終わった上記転写テープの幅方向のずれを矯正する一対のガイド片が突設されている、ことを特徴とするスタンプ型塗膜転写具。
【請求項６】
請求項１ないし５のいずれかに記載のスタンプ型塗膜転写具において、
上記巻取リールは、上記ケース半体に突設されている支持軸に回転可能に配設され、更に巻取リールの巻取り方向と逆方向の回転を阻止する逆回転防止機構を具備する、ことを特徴とするスタンプ型塗膜転写具。
【請求項７】
請求項６に記載のスタンプ型塗膜転写具において、
上記逆回転防止機構は、上記ケース半体における上記支持軸の中心と同心円上に設けられる面状歯部と、上記巻取リールの回動軸の先端部においてそれぞれ回動軸の周方向に円弧状に突設される弾性変形可能な複数のラチェット爪とを具備し、上記面状歯部と上記ラチェット爪は、上記巻取リールが巻取り方向と逆方向に回転するときに係合可能に形成されている、ことを特徴とするスタンプ型塗膜転写具。
【請求項８】
請求項１ないし７のいずれかに記載のスタンプ型塗膜転写具において、
上記ケース半体の一方における両側片の上端面に起立片を設けると共に、上記開口部側端部及び上記底部側端部に係止爪を突設し、上記ケース半体の他方における両側片の上端面には、上記起立片と嵌合可能な段部が設けられると共に、上記開口部側の上記押圧転写部及び上記底部には、上記係止爪が係合可能な係止スリットが設けられている、ことを特徴とするスタンプ型塗膜転写具。
【請求項９】
請求項１ないし８のいずれかに記載のスタンプ型塗膜転写具において、
上記ケースの開口部を塞ぐキャップを更に具備し、
上記キャップは、上記ケースの開口部に被嵌される有底筒状に形成され、上記キャップの内側面に、上記枠部の収納空間を確保すべく上記ケースの端面に当接する複数のリブと、上記リブ間に設けられ、開口端から底部に向かって上り勾配を有する複数の補助リブが設けられている、ことを特徴とするスタンプ型塗膜転写具。
【請求項１０】
請求項９に記載のスタンプ型塗膜転写具において、
上記ケース及びキャップはそれぞれ断面略矩形状に形成され、上記キャップの角部に上記リブが設けられ、上記キャップの各辺の中央に上記補助リブが設けられている、ことを特徴とするスタンプ型塗膜転写具。
【発明の詳細な説明】
【技術分野】
【０００１】
この発明は、転写テープから塗膜を被転写面に転写するスタンプ型塗膜転写具に関するものである。
【背景技術】
【０００２】
従来、この種の転写具として、筒体や軸筒等のケース内にそれぞれ回転自在に配設される転写テープを巻装する供給リール及び使い終わった転写テープを巻き取る巻き上げリールと、転写テープの表面を押圧する押棒と、ケース内に移動自在に配設されると共に、ばね部材（スプリング、ヒゲバネ）の弾性によって保持されるスライダーと、を具備し、上記スライダーに設けられた巻き上げ爪を、巻き上げリールと同一軸上に設けられたギアに、転写テープの巻き上げ方向のみ噛合させる構造のものが知られている（例えば、特許文献１参照）。【０００３】
特許文献１には、ケースを構成する軸筒内にスプリング及びヒゲバネの弾性によって出没自在に保持される先端に開口を有するスライダーに、軸筒に設けられた係止ピンに遊嵌する溝部を設けて、スライダーの出没に応じてスライダーの先端の開口から出没可能にし、押棒を転写テープの裏面に押圧して転写するスタンプ型の構造が開示されている。なお、転写テープはスライダーの開口側に設けられる２本の誘導ピンによって張力が付与されている。【０００４】
また、特許文献１に記載のものにおいては、供給リールと巻き上げリールは回転自在であるため、供給リール及び巻き上げリールと同一軸上に設けられたギアにそれぞれ逆転防止爪を設けて供給リールと巻き上げリールの回転を規制している。
【先行技術文献】
【特許文献】
【０００５】
【特許文献１】特開平６−５５８９５号公報（特許請求の範囲、段落００１８〜００２０、図２）
【発明の概要】
【発明が解決しようとする課題】
【０００６】
しかしながら、特許文献１に記載のものにおいては、転写の際に転写テープに張力を発生させている誘導ピンも一緒に押し込まれてしまう。このとき、巻き取りが行われる訳でないので、転写テープにたるみが発生する懸念がある。その他、塗膜が転写テープから剥離する際の剥離力によって意図しない転写テープの繰り出しが起こる虞もある。
また、複数のばね部材を設ける必要があることの他に、２箇所に逆転防止機構を設ける必要があるため、部品点数が多くなり、転写具自体が大型になる上、設計の自由度が少ないなどの懸念もある。【０００７】
この発明は、上記事情に鑑みてなされたもので、転写時の転写テープのたるみを防止でき、かつ、構成部材を少なくして小型化及び設計の自由度の向上が図れるスタンプ型塗膜転写具を提供する。
【課題を解決するための手段】
【０００８】
上記課題を解決するために、この発明は、一端に開口部を有する有底筒状のケースを構成する二分割されたケース半体と、上記ケース内に回転可能に配設され、表面に塗膜が塗布された転写テープを巻装する繰出しリールと、上記ケース内に回転可能に配設され、使い終わった転写テープを巻き取る巻取リールと、上記ケース半体の一方の開口部に配設され、上記転写テープの裏面側を押圧する押圧面を有する転写押圧部と、上記ケースの開口部を介して内外側に移動可能なスライド部材と、を具備するスタンプ型塗膜転写具であって、  上記スライド部材は、上記ケースの開口部の外方に露出し、上記開口部と連通する転写開口を有する枠部と、上記ケース内に移動自在に挿入されるスライド部と、上記ケースの底部に弾接して常時上記枠部をケースの外方へ移動するばね部と、上記スライド部が上記ケースの底部側に移動する際にのみ上記巻取リールと同軸上に設けられた巻取ギアと噛合するラックギアと、を一体に形成し、上記繰出しリールに巻装された上記転写テープは、上記転写押圧部の押圧面と、繰出しリールに巻装された転写テープの表面に接触した状態で上記巻取リールに巻き取られる、ことを特徴とする（請求項１）。【０００９】
このように構成することにより、繰出しリールに巻装された転写テープは、転写押圧部の押圧面と、繰出しリールに巻装された転写テープの表面の塗膜を抱くように接触した状態で巻取リールに巻き取られることで、繰出しリールに巻装された転写テープの表面の塗膜と使い終わった転写テープとの接触による摩擦によって回転する繰出しリールから繰り出される転写テープの繰出し量を制御することができる。また、転写テープは巻取リールによって巻き取られない限り転写リールから繰り出されないので、転写テープのたるみを防止することができる。また、転写開口を有する枠部と、スライド部と、常時枠部をケースの外方へ移動するばね部と、巻取リールと同軸上に設けられた巻取ギアと噛合するラックギアと、を一体に形成することができる。【００１０】
この発明において、上記繰出しリールは、上記ケース半体に突設された支持軸に、回転自在に装着される筒状のテープコアにて形成されているのが好ましい（請求項２）。【００１１】
このように構成することにより、繰出しリールの形状を簡単にすることができると共に、繰出しリールへの転写テープの巻装を容易にすることができる。【００１２】
この発明において、上記巻取ギアと上記ラックギアは、上記スライド部が上記ケースの底部側に移動する際にのみ上記巻取リールと同軸上に設けられた巻取ギアと噛合するものであれば、任意の構造であっても差し支えないが、好ましくは、上記巻取ギアは、上記巻取リールの回動軸の軸方向の端部周面に設けられ、上記ラックギアは、上記スライド部の先端に直状に延設される弾性変形可能な板状突片の側面に設けられるのがよい（請求項３）。【００１３】
このように構成することにより、巻取ギアとラックギアの噛合を確実にすることができると共に、巻取ギアとラックギアの占めるスペースを小さくすることができる。【００１４】
また、この発明において、上記枠部は、十字状に形成されると共に、互いに隣接する４つの角部の内方側の領域が、上記押圧転写部の押圧面より若干広く形成され、上記枠部の一辺に直状に連なる上記スライド部における上記枠部側に位置確認用の窓孔が設けられているのが好ましい（請求項４）。【００１５】
このように構成することにより、十字状に形成された枠部と、枠部の一辺に直状に連なるスライド部における枠部側に位置確認用の窓孔とによって塗膜の転写位置を確認することができる。【００１６】
また、この発明において、上記転写押圧部における押圧面に隣接する側面に、使い終わった上記転写テープの幅方向のずれを矯正する一対のガイド片が突設されているのが好ましい（請求項５）。【００１７】
このように構成することにより、繰出しリールに巻装された転写テープに多少の巻きずれがあっても一対のガイド片によって矯正することができ、使い終わった転写テープが幅方向にずれることなく巻取リールに巻き取ることができる。【００１８】
また、この発明において、上記巻取リールは、上記ケース半体に突設されている支持軸に回転可能に配設され、更に巻取リールの巻取り方向と逆方向の回転を阻止する逆回転防止機構を具備するのが好ましい（請求項６）。この場合、上記逆回転防止機構は、上記ケース半体における上記支持軸の中心と同心円上に設けられる面状歯部と、上記巻取リールの回動軸の先端部においてそれぞれ回動軸の周方向に円弧状に突設される弾性変形可能な複数のラチェット爪とを具備し、上記面状歯部と上記ラチェット爪は、上記巻取リールが巻取り方向と逆方向に回転するときに係合可能に形成されているのが好ましい（請求項７）。【００１９】
このように構成することにより、ばね部の弾性力によってスライド部材がケースの外方に移動する際に巻取リールが逆回転して巻き取った転写テープがたるむのを防止することができる。この場合、逆回転防止機構は、ケース半体における支持軸の中心と同心円上に設けられる面状歯部と、巻取リールの回動軸の先端部においてそれぞれ回動軸の周方向に円弧状に突設される弾性変形可能な複数のラチェット爪とを具備し、面状歯部とラチェット爪は、巻取リールが巻取り方向と逆方向に回転するときに係合可能に形成することにより、逆転防止機構の組付けを容易にすることができる（請求項７）。【００２０】
また、この発明において、上記ケース半体の一方における両側片の上端面に起立片を設けると共に、上記開口部側端部及び上記底部側端部に係止爪を突設し、上記ケース半体の他方における両側片の上端面には、上記起立片と嵌合可能な段部が設けられると共に、上記開口部側の上記押圧転写部及び上記底部には、上記係止爪が係合可能な係止スリットが設けられているのが好ましい（請求項８）。【００２１】
このように構成することにより、ケース半体同士の組付けを容易にすることができると共に、組付けを強固にすることができる。【００２２】
加えて、この発明において、上記ケースの開口部を塞ぐキャップを更に具備し、上記キャップは、上記ケースの開口部に被嵌される有底筒状に形成され、上記キャップの内側面に、上記枠部の収納空間を確保すべく上記ケースの端面に当接する複数のリブと、上記リブ間に設けられ、開口端から底部に向かって上り勾配を有する複数の補助リブが設けられているのが好ましい（請求項９）。この場合、上記ケース及びキャップはそれぞれ断面略矩形状に形成され、上記キャップの角部に上記リブが設けられ、上記キャップの各辺の中央に上記補助リブが設けられているのが好ましい（請求項１０）。【００２３】
このように構成することにより、不使用時に、ケースの開口部の外方に露出する転写押圧部の押圧面に掛け渡された転写テープの塗膜と、スライド部材の枠部をキャップによって被覆することができる。この場合、キャップの内側面に、枠部の収納空間を確保すべくケースの端面に当接する複数のリブと、リブ間に設けられ、開口端から底部に向かって上り勾配を有する複数の補助リブを設けることにより、ケースにキャップを被嵌する際にキャップが多少斜めの状態であっても、キャップの被嵌を容易にすることができると共に、ケースから突出する枠部をキャップによって安全に保護することができる。
【発明の効果】
【００２４】
この発明のスタンプ型塗膜転写具によれば、上記のように構成されているので、以下のような効果が得られる。【００２５】
（１）請求項１に記載の発明によれば、繰出しリールに巻装された転写テープの表面の塗膜と使い終わった転写テープとの接触による摩擦によって回転する繰出しリールから繰り出される転写テープの繰出し量を制御すると共に、転写テープのたるみを防止することができる。また、枠部と、スライド部と、常時枠部をケースの外方へ移動するばね部と、巻取リールと同軸上に設けられた巻取ギアと噛合するラックギアと、を一体に形成することができるので、構成部材の削減が図れ、かつ、小型化が図れると共に、設計の自由度の向上が図れる。【００２６】
（２）請求項２に記載の発明によれば、繰出しリールの形状を簡単にすることができると共に、繰出しリールへの転写テープの巻装を容易にすることができるので、上記（１）に加えて、更に構造を簡単にすることができ、かつ、小型化が図れると共に、設計の自由度の向上が図れる。【００２７】
（３）請求項３に記載の発明によれば、巻取ギアとラックギアの噛合を確実にすることができると共に、巻取ギアとラックギアの占めるスペースを小さくすることができるので、上記（１），（２）に加えて、更に小型化が図れると共に、組付けを容易にすることができる。【００２８】
（４）請求項４に記載の発明によれば、十字状に形成された枠部と、枠部の一辺に直状に連なるスライド部における枠部側に位置確認用の窓孔とによって塗膜の転写位置を確認することができるので、上記（１）〜（３）に加えて、更に塗膜の転写を容易にすることができると共に、転写位置を正確にすることができる。【００２９】
（５）請求項５に記載の発明によれば、繰出しリールに巻装された転写テープに多少の巻きずれがあっても一対のガイド片によって矯正することができ、使い終わった転写テープが幅方向にずれることなく巻取リールに巻き取ることができるので、上記（１）〜（４）に加えて、更に塗膜の転写を容易にすることができる。【００３０】
（６）請求項６，７に記載の発明によれば、上記（１）〜（５）に加えて、更に、ばね部の弾性力によってスライド部材がケースの外側に移動する際に巻取リールが逆回転して巻き取った転写テープがたるむのを防止することができる。この場合、逆回転防止機構は、ケース半体における支持軸の中心と同心円上に設けられる面状歯部と、巻取リールの回動軸の先端部においてそれぞれ回動軸の周方向に円弧状に突設される弾性変形可能な複数のラチェット爪とを具備し、面状歯部とラチェット爪は、巻取リールが巻取り方向と逆方向に回転するときに係合可能に形成することにより、逆転防止機構の組付けを容易にすることができる（請求項７）。【００３１】
（７）請求項８に記載の発明によれば、上記（１）〜（６）に加えて、更にケース半体同士の組付けを容易にすることができると共に、組付けを強固にすることができる。【００３２】
（８）請求項９，１０に記載の発明によれば、不使用時に、ケースの開口部の外方に露出する転写押圧部の押圧面に掛け渡された転写テープの塗膜と、スライド部材の枠部をキャップによって被覆することができる。この場合、ケースにキャップを被嵌する際にキャップが多少斜めの状態であっても、キャップの被嵌を容易にすることができると共に、ケースから突出する枠部をキャップによって安全に保護することができる。
【図面の簡単な説明】
【００３３】
【図１】この発明に係る塗膜転写具の使用状態を示す前方側斜視図（ａ）、後方側斜視図（ｂ）及び塗膜転写状態の一例を示す概略平面図（ｃ）である。
【図２】この発明におけるキャップを取り外した状態を示す斜視図である。
【図３】上記塗膜転写具の要部を示す断面図（ａ）、この発明におけるラックギアと巻取ギアの噛合状態を示す概略図（ｂ）、（ａ）のＩ部拡大図（ｃ）及び（ａ）のII部拡大図（ｄ）である。
【図４】上記塗膜転写具の使用状態の要部を示す断面図（ａ）及び（ａ）のIII部拡大図（ｂ）である。
【図５】この発明における上ケース半体を取り外した状態を示す正面図である。
【図６】図５の右側面図である。
【図７】図５の平面図である。
【図８】図５の底面図である。
【図９】この発明における上ケース半体の正面図である。
【図１０】この発明における下ケース半体を示す斜視図である。
【図１１】この発明における上ケース半体を示す斜視図である。
【図１２】この発明におけるスライド部材を示す斜視図である。
【図１３】この発明における巻取リールを構成するスプールを示す斜視図である。
【図１４】この発明における繰出しリールのテープコアを示す斜視図である。
【図１５】この発明における巻取リールのラチェット爪を示す平面図（ａ）、面状歯部を示す平面図（ｂ）及び上記ラチェット爪と面状歯部の係合関係を示す模式図（ｃ）である。
【図１６】この発明に係る塗膜転写具の収容状態の一例を示す概略平面図である。
【図１７】この発明におけるキャップの表面に異なるデザインを施した状態を示す正面図である。
【発明を実施するための形態】
【００３４】
以下に、この発明の実施形態について、添付図面に基づいて詳細に説明する。ここでは、この発明に係るスタンプ型塗膜転写具（以下に、塗膜転写具という）を粘着転写具に適用した場合について説明する。
【００３５】
この発明に係る塗膜転写具は、図２ないし図５に示すように、一端に開口部１０ａを有する有底筒状のケース１０を構成するケース半体１１，１２（以下に上ケース半体１１、下ケース半体１２という）と、ケース１０内に回転可能に配設され、基材２の表面に塗膜である粘着剤３が塗布された転写テープ１を巻装する繰出しリール２０と、ケース１０内に回転可能に配設され、使い終わった転写テープ１を巻き取る巻取リール３０と、上、下ケース半体１１，１２の一方すなわち下ケース半体１２の開口部１０ａに配設され、転写テープ１の裏面側を押圧する押圧面１３ａを有する転写押圧部１３と、ケース１０の開口部１０ａを介して内外側に移動可能なスライド部材４０と、ケース１０の開口部１０ａに着脱可能に装着されるキャップ５０と、を具備する。
【００３６】
この場合、繰出しリール２０に巻装された転写テープ１は、転写押圧部１３の押圧面１３ａと、繰出しリール２０に巻装された転写テープ１の表面の粘着剤３を抱くように接触した状態で巻取リール３０に巻き取られるようになっている。
【００３７】
ケース１０は、一端に矩形状の開口部１０ａを有する断面が略矩形状の有底角筒状に形成され、ケース１０を構成する上、下ケース半体１１，１２は、例えばポリスチレン（ＰＳ），ＡＢＳ樹脂等の合成樹脂製部材にて形成されており、ケース１０の開口部１０ａから底部１０ｂに渡って水平に二分割された断面略角形Ｕ字状に形成されている。
【００３８】
この場合、下ケース半体１２の開口部１０ａには、転写テープ１の裏面側を押圧する転写押圧部１３が突設されている。この転写押圧部１３は、矩形状の開口部１０ａの中央に位置する矩形状の押圧面１３ａを有しており、押圧面１３ａが開口部１０ａより若干外方側に突出している。なお、押圧面１３ａの表面には、弾力性を有するスタンプパッド１３ｂが貼着される。
【００３９】
なお、転写押圧部１３における押圧面１３ａに隣接する一方の側面１３ｃには、使い終わった転写テープ１の基材２を誘導する一対のガイド片１３ｄ，１３ｅが互いに平行に水平状に突設されている（図１０参照）。このガイド片１３ｄ，１３ｅによって使い終わった転写テープ１の基材２の幅方向のずれを矯正することができる。
【００４０】
また、図１０に示すように、下ケース半体１２の開口部１０ａ側の転写押圧部１３より後方側には繰出しリール２０を回転可能に支持する第１の繰出しリール支持軸１４ａが突設され、下ケース半体１２の底部１０ｂ側には巻取リール３０を回転可能に支持する第１の巻取リール支持軸１５ａが突設されている。
【００４１】
一方、上ケース半体１１の開口部１０ａ側には繰出しリール２０を回転可能に支持する第２の繰出しリール支持軸１４ｂが突設され、上ケース半体１１の底部１０ｂ側には巻取リール３０を回転可能に支持する第２の巻取リール支持軸１５ｂが突設されている（図１１参照）。また、上ケース半体１１の第２の巻取リール支持軸１５ｂの基端側には、後述する逆回転防止機構を構成する第２の巻取リール支持軸１５ｂの中心と同心円上に面状歯部１８が設けられている。
【００４２】
なお、下ケース半体１２の両側片１２ａの上端面の内方側には両端を残して起立片１２ｂが設けられ、転写押圧部１３の押圧面１３ａの上部側には、水平方向に横長の第１の係止スリット１６ａが設けられている。また、下ケース半体１２の底部１０ｂの上部側には、水平方向に横長の第２の係止スリット１６ｂが設けられている。
【００４３】
一方、上ケース半体１１の両側片１１ａの上端面（下ケース半体１２に対して下端面）の内側には、下ケース半体１２の起立片１２ｂと嵌合可能な段部１１ｂが設けられている。また、上ケース半体１１の開口部１０ａ側には、先端が外方に向かって突出する略Ｌ字状の第１の係止爪１７ａが設けられ、また、上ケース半体１１の底部１０ｂには、先端が外方に向かって突出する略Ｌ字状の第２の係止爪１７ｂが設けられている。
【００４４】
上記のように形成される上ケース半体１１と下ケース半体１２を組み付ける場合は、下ケース半体１２の起立片１２ｂと上ケース半体１１の段部１１ｂを嵌合すると共に、下ケース半体１２の第１の係止スリット１６ａと第２の係止スリット１６ｂに、それぞれ上ケース半体１１の第１の係止爪１７ａと第２の係止爪１７ｂを係合させる。
したがって、上ケース半体１１と下ケース半体１２の組付けを容易にすることができると共に、組付けを強固にすることができる。
【００４５】
繰出しリール２０は、下ケース半体１２及び上ケース半体１１に突設された第１及び第２の繰出しリール支持軸１４ａ，１４ｂに回転自在に装着される円筒状のテープコアにて形成されている。この場合、繰出しリール２０を形成するテープコアは、例えばポリアセタール（ＰＯＭ）等の合成樹脂製部材にて形成され、図１４に示すように、転写テープ１を巻装する大径部２１の両端に小径部２２を有する段付き円筒状に形成され、第１及び第２の繰出しリール支持軸１４ａ，１４ｂに回転自在に装着される。
【００４６】
このように、繰出しリール２０をフランジのない円筒状のテープコアによって形成することにより、形状を簡単にすることができると共に、転写テープ１の巻装を容易にすることができる。
【００４７】
巻取リール３０は、回動軸３１が一体に形成されたスプールによって形成され、回動軸３１を介して下ケース半体１２及び上ケース半体１１に突設された第１及び第２の巻取リール支持軸１５ａ，１５ｂに回転可能に装着されている。この場合、巻取リールすなわちスプール３０は、例えばポリアセタール（ＰＯＭ）等の合成樹脂製部材にて形成され、図１３に示すように、転写テープ１の基材２を巻き取る部分に設けられた一対の鍔部３２ａ，３２ｂの外側に延在した回動軸３１の一方の軸方向の端部周面に巻取ギア３３が設けられ、他方の回動軸３１の軸方向の先端部には、後述する逆回転防止機構を構成する複数（例えば２個）のラチェット爪３４が設けられている。
【００４８】
上記スライド部材４０は、例えばポリアセタール（ＰＯＭ）等の合成樹脂製部材にて形成されており、図１２に示すように、ケース１０の開口部の外方に露出し、開口部１０ａと連通する転写開口４１ｅを有する枠部４１と、ケース１０内に移動自在に挿入されるスライド部４２と、ケース１０の底部１０ｂに弾接して常時枠部４１をケース１０の外方へ移動するばね部４３と、スライド部４２がケース１０の底部１０ｂ側に移動する際にのみ巻取リール３０と同軸上に設けられた巻取ギア３３と噛合するラックギア４４と、を一体に形成してなる。
【００４９】
この場合、枠部４１は、４辺の中央部にコ字状に突出する突出枠片４１ａ，４１ｂ，４１ｃ，４１ｄを有する略十字状に形成されると共に、互いに隣接する４つの角部４１ｆの内方側の領域４１ｇ（図１（ｃ）において一点鎖線で示す）が、押圧転写部１３の押圧面１３ａより若干広く形成されている。また、枠部４１の一辺に直状に連なるスライド部４２における枠部４１側に位置確認用の矩形状の窓孔４２ａが設けられている。
【００５０】
スライド部４２は、枠部４１の両側の突出枠片４１ｂ，４１ｃと下部の突出枠片４１ｄに延在する両側片４２ｂ、４２ｃと底片４２ｄを有しており、底片４２ｄには、スライド部４２がケース１０内を移動する際に、繰出しリール２０との干渉を回避する切欠き孔４２ｅと、巻取リール３０との干渉を回避する凹状切欠き４２ｆが設けられている。また、底片４２ｄにおける一方の側片４２ｂ側の先端には、弾性変形可能な板状突片４２ｇが直状に延設されており、板状突片４２ｇの先端部側面にラックギア４４が設けられている。
【００５１】
上記のように形成される板状突片４２ｆの先端部側面に設けられるラックギア４４は、巻取リール（スプール）３０の軸方向端部の外周側表面に設けられた巻取ギア３３と噛合可能に形成されている。つまり、スライド部４２がケース１０の底部１０ｂ側に移動する際にのみ、ラックギア４４と巻取リール（スプール）３０に設けられた巻取ギア３３と噛合するようになっている。
【００５２】
また、ばね部４３は、スライド部４２の側片４２ｃの先端から湾曲状に屈曲する弾性変形可能なばね基部４３ａと、ばね基部４３ａの先端に設けられる円形状の膨隆頭部４３ｂとで形成されている。このように形成されるばね部４３は、ばね基部４３ａの弾性力によって膨隆頭部４３ｂがケース１０の底部１０ｂに弾接してスライド部材４０の枠部４１を常時ケース１０の外方へ移動する。
【００５３】
次に、巻取リール３０の逆回転防止機構について説明する。本実施形態では、巻取リール（スプール）３０と、上ケース半体１１に突設されて巻取リール（スプール）３０との間に、巻取リール（スプール）３０の巻取り方向と逆方向の回転を阻止する逆回転防止機構を設けた場合である。
【００５４】
この場合、逆回転防止機構は、図１１、図１３及び図１５に示すように、上ケース半体１１における第２の巻取リール支持軸１５ｂの中心と同心円上に設けられる面状歯部１８と、巻取リール（スプール）３０の先端部においてそれぞれ回動軸３１の周方向に円弧状に突設される弾性変形可能な複数（２個）の先端に向かって上り傾斜面３４ａを有するラチェット爪３４とを具備し、面状歯部１８とラチェット爪３４は、巻取リール（スプール）３０が巻取り方向（＋Ｒ）と逆方向（−Ｒ）に回転するときに係合可能に形成されている（図１５（ｃ）参照）。なお、図１５（ｃ）の模式図に示すように、ラチェット爪３４は先端に向かって上り傾斜面３４ａを有する断面略三角状に形成されているので、巻取リール（スプール）３０が巻取り方向（＋Ｒ）に回転する場合は、面状歯部１８に干渉せず、巻取リール（スプール）３０が逆方向（−Ｒ）に回転するときに面状歯部１８に係合して巻取リール（スプール）３０の逆回転を阻止する。
【００５５】
このように構成される逆回転防止機構によれば、ばね部４３の弾性力によってスライド部材４０がケース１０の外側に移動する際に巻取リール（スプール）３０が逆回転して巻き取った転写テープ１がたるむのを防止することができる。
【００５６】
なお、上記実施形態では、巻取リール（スプール）３０と、上ケース半体１１に突設された第２の巻取リール支持軸１５ｂとの間に、逆回転防止機構を設けた場合について説明したが、巻取リール（スプール）３０と、下ケース半体１２に突設された第１の巻取リール支持軸１５ａとの間に、逆回転防止機構を設けても同様の効果が得られる。
【００５７】
上記キャップ５０は、例えばポリスチレン（ＰＳ），ＡＢＳ樹脂等の合成樹脂製部材にて形成されており、ケース１０の開口部１０ａに被嵌される断面が略矩形状の有底筒状に形成されている。この場合、キャップ５０の内側面の角部に、枠部４１の収納空間を確保すべくケース１０の端面に当接する複数（４個）のリブ５１が設けられ、リブ５１間の各辺の中央には、キャップ５０の開口端から底部に向かって上り勾配を有する複数（４個）の補助リブ５２が設けられている。
【００５８】
上記のように形成されるキャップ５０によれば、ケース１０にキャップ５０を被嵌する際にキャップ５０が多少斜めの状態であっても、キャップ５０の被嵌を容易にすることができると共に、ケース１０から突出する枠部４１をキャップ５０によって安全に保護することができる。
【００５９】
上記のように構成される実施形態の塗膜転写具において、繰出しリール２０に幅６．０ｍｍ、長さ３．５ｍの転写テープ１を巻装し、転写面（スタンプ面）の面積を６．０ｍｍ×６．０ｍｍとした場合、少なくとも５００回の転写（スタンプ）が可能となる。
【００６０】
また、上記寸法の転写テープ１を使用することにより、塗膜転写具の外形寸法を２３．０ｍｍ×２３．０ｍｍ×６４．８ｍｍとすることができ、全体を小型にすることができる。したがって、例えば、図１６に示すように、鉛筆等の筆記具６０、消しゴム６１を収容するペンケース６２内に塗膜転写具を収容することができる。また、これに代えて、机の引き出し内に設けられた事務用品収容トレー内にも収容することができる。
【００６１】
次に、上記のように構成される塗膜転写具を使用する場合は、まず、繰出しリール２０から引き出された転写テープ１が転写押圧部１３の押圧面１３ａと繰出しリール２０に巻装された転写テープ１の表面の粘着剤３に接触した状態で巻取リール（スプール）３０に巻き取られる状態にセットする。
【００６２】
この状態で、使用者はケース１０を手で持ち、被転写面４にスライド部材４０の枠部４１をばね部４３の弾性力に抗して押し当てると、スライド部材４０がケース１０の内側へ移動する一方、転写テープ１の裏面を押圧する転写押圧部１３が相対的にケース１０の外側に突出して粘着剤３（塗膜）が被転写面４に転写される。
【００６３】
なお、スライド部材４０がケース１０の内側へ移動する際、巻取リール（スプール）３０と同軸上の巻取ギア３３と噛合するラックギア４４がケース１０の底部側に移動して巻取ギア３３と共に巻取リール（スプール）３０を巻取方向（図４において時計回り）に回転すると、繰出しリール２０は転写テープ１の繰出し方向（図４において反時計回り）に回転して転写テープ１を繰り出し、前回の転写（スタンプ）で使い終わった転写テープ１（基材２）が巻き取られ、粘着剤３（塗膜）を有する転写テープ１が転写押圧部１３の押圧面１３ａに移動する。
【００６４】
粘着剤３（塗膜）を転写した後、転写具を持ち上げると、ばね部４３の弾性力によってスライド部材４０がケース１０の外側に移動して、次の転写（スタンプ）に備える。
【００６５】
上記のように構成される実施形態の塗膜転写具によれば、繰出しリール２０から引き出された転写テープ１が転写テープ１の表面の粘着剤３に接触した状態で巻取リール（スプール）３０に巻き取られることで、繰出しリール２０に巻装された転写テープ１の表面の粘着剤３（塗膜）と使い終わった転写テープすなわち基材２との接触による摩擦によって回転する繰出しリール２０から繰り出される転写テープ１の繰出し量を制御することができる。また、転写テープ１は巻取リール（スプール）３０によって巻き取られない限り繰出しリール２０から繰り出されないので、転写テープ１のたるみを防止することができる。
【００６６】
また、スライド部材４０は、枠部４１、スライド部４２、ばね部４３及びラックギア４４が一体に形成されているので、構成部材の低減が図れ、また、小型化が図れると共に、設計の自由度の向上が図れる。
【００６７】
また、巻取ギア３３は、巻取リール（スプール）３０の回動軸３１の軸方向の端部周面に設けられ、ラックギア４４は、スライド部４２の先端に直状に延設される弾性変形可能な板状突片４２ｇの側面に設けられているので、巻取ギア３３とラックギア４４の噛合を確実にすることができると共に、巻取ギア３３とラックギア４４の占めるスペースを小さくすることができる。
【００６８】
また、十字状に形成された枠部４１と、枠部４１の一辺に直状に連なるスライド部４２における枠部側に位置確認用の窓孔４２ａとによって塗膜の転写位置を確認することができるので、塗膜の転写（スタンプ）を容易にすることができると共に、転写位置を正確にすることができる。
【００６９】
また、繰出しリール２０に巻装された転写テープ１に多少の巻きずれがあっても一対のガイド片１３ｄ，１３ｅによって矯正することができ、使い終わった転写テープ（基材２）が幅方向にずれることなく巻取リール（スプール）３０に巻き取ることができるので、更に塗膜の転写（スタンプ）を容易にすることができる。
【００７０】
また、ばね部４３の弾性力によってスライド部材４０がケース１０の外側に移動する際に巻取リール（スプール）３０が逆回転して巻き取った転写テープ１がたるむのを防止することができる。この場合、逆回転防止機構は、上ケース半体１１における第１の繰出しリール支持軸１５ａの中心と同心円上に設けられる面状歯部１８と、巻取リール（スプール）３０の回動軸３１の先端部においてそれぞれ回動軸の周方向に円弧状に突設される弾性変形可能な複数のラチェット爪３４とを具備し、面状歯部１８とラチェット爪３４は、巻取リール（スプール）３０が巻取り方向と逆方向に回転するときに係合可能に形成することにより、逆転防止機構の組付けを容易にすることができる。
【００７１】
更に、ケース１０にキャップ５０を被嵌する際にキャップ５０が多少斜めの状態であっても、キャップ５０の被嵌を容易にすることができると共に、ケース１０から突出する枠部４１をキャップ５０によって安全に保護することができる。
【００７２】
＜その他の実施形態＞
上記実施形態では、この発明に係る塗膜転写具を粘着転写具に適用した場合について説明したが、粘着剤に代えて修正塗料剤の塗膜を担持した転写テープを用いた塗膜転写具にも適用できる。
【００７３】
上記実施形態では、ケース１０（上ケース半体１１、下ケース半体１２）、キャップ５０にデザインが施されていない場合について説明したが、図１７（ａ）〜（ｃ）に示すようにキャップ５０の側面に異なる目のデザインを施してもよい。
【符号の説明】
【００７４】
１  転写テープ
１０  ケース
１０ａ  開口部
１１  上ケース半体
１１ａ  側片
１１ｂ  段部
１２  下ケース半体
１２ａ  側片
１２ｂ  起立片
１３  転写押圧部
１３ａ  押圧面
１３ｄ，１３ｅ  ガイド片
１４ａ  第１の繰出しリール支持軸
１４ｂ  第２の繰出しリール支持軸
１５ａ  第１の巻取リール支持軸
１５ｂ  第２の巻取リール支持軸
１６ａ  第１の係止スリット
１６ｂ  第２の係止スリット
１７ａ  第１の係止爪
１７ｂ  第２の係止爪
１８  面状歯部
２０  繰出しリール（テープコア）
３０  巻取リール（スプール）
３１  回動軸
３３  巻取ギア
３４  ラチェット爪
４０  スライド部材
４１  枠部
４１ｅ  転写開口
４２  スライド部
４２ａ  窓孔
４２ｇ  板状突片
４３  ばね部
４４  ラックギア
５０  キャップ
５１  リブ
５２  補助リブ
【図１】
2017163274.tif 000003
【図２】
2017163274.tif 000004
【図３】
2017163274.tif 000005
【図４】
2017163274.tif 000006
【図５】
2017163274.tif 000007
【図６】
2017163274.tif 000008
【図７】
2017163274.tif 000009
【図８】
2017163274.tif 000010
【図９】
2017163274.tif 000011
【図１０】
2017163274.tif 000012
【図１１】
2017163274.tif 000013
【図１２】
2017163274.tif 000014
【図１３】
2017163274.tif 000015
【図１４】
2017163274.tif 000016
【図１５】
2017163274.tif 000017
【図１６】
2017163274.tif 000018
【図１７】
2017163274.tif 000019
【手続補正書】
【提出日】平成30年5月24日(2018.5.24)
【手続補正１】
【補正対象書類名】特許請求の範囲
【補正対象項目名】請求項８
【補正方法】変更
【補正の内容】
【請求項８】
請求項１ないし７のいずれかに記載のスタンプ型塗膜転写具において、
上記ケース半体の一方における両側片の上端面に段部を設けると共に、上記開口部側端部及び上記底部側端部に係止爪を突設し、上記ケース半体の他方における両側片の上端面には、上記段部と嵌合可能な起立片が設けられると共に、上記開口部側の上記押圧転写部及び上記底部には、上記係止爪が係合可能な係止スリットが設けられている、ことを特徴とするスタンプ型塗膜転写具。
【手続補正２】
【補正対象書類名】明細書
【補正対象項目名】０００９
【補正方法】変更
【補正の内容】
【０００９】
このように構成することにより、繰出しリールに巻装された転写テープは、転写押圧部の押圧面と、繰出しリールに巻装された転写テープの表面の塗膜を抱くように接触した状態で巻取リールに巻き取られることで、繰出しリールに巻装された転写テープの表面の塗膜と使い終わった転写テープとの接触による摩擦によって回転する繰出しリールから繰り出される転写テープの繰出し量を制御することができる。また、転写テープは巻取リールによって巻き取られない限り繰出しリールから繰り出されないので、転写テープのたるみを防止することができる。また、転写開口を有する枠部と、スライド部と、常時枠部をケースの外方へ移動するばね部と、巻取リールと同軸上に設けられた巻取ギアと噛合するラックギアと、を一体に形成することができる。
【手続補正３】
【補正対象書類名】明細書
【補正対象項目名】００１５
【補正方法】変更
【補正の内容】
【００１５】
このように構成することにより、十字状に形成された枠部と、枠部の一辺に直状に連なるスライド部における枠部側に設けられた位置確認用の窓孔とによって塗膜の転写位置を確認することができる。
【手続補正４】
【補正対象書類名】明細書
【補正対象項目名】００２０
【補正方法】変更
【補正の内容】
【００２０】
また、この発明において、上記ケース半体の一方における両側片の上端面に段部を設けると共に、上記開口部側端部及び上記底部側端部に係止爪を突設し、上記ケース半体の他方における両側片の上端面には、上記段部と嵌合可能な起立片が設けられると共に、上記開口部側の上記押圧転写部及び上記底部には、上記係止爪が係合可能な係止スリットが設けられているのが好ましい（請求項８）。
【手続補正５】
【補正対象書類名】明細書
【補正対象項目名】００２８
【補正方法】変更
【補正の内容】
【００２８】
（４）請求項４に記載の発明によれば、十字状に形成された枠部と、枠部の一辺に直状に連なるスライド部における枠部側に設けられた位置確認用の窓孔とによって塗膜の転写位置を確認することができるので、上記（１）〜（３）に加えて、更に塗膜の転写を容易にすることができると共に、転写位置を正確にすることができる。
【手続補正６】
【補正対象書類名】明細書
【補正対象項目名】００５３
【補正方法】変更
【補正の内容】
【００５３】
次に、巻取リール３０の逆回転防止機構について説明する。本実施形態では、巻取リール（スプール）３０と、上ケース半体１１に突設された第２の巻取リール支持軸１５ｂとの間に、巻取リール（スプール）３０の巻取り方向と逆方向の回転を阻止する逆回転防止機構を設けた場合である。
【手続補正７】
【補正対象書類名】明細書
【補正対象項目名】００６８
【補正方法】変更
【補正の内容】
【００６８】
また、十字状に形成された枠部４１と、枠部４１の一辺に直状に連なるスライド部４２における枠部側に設けられた位置確認用の窓孔４２ａとによって塗膜の転写位置を確認することができるので、塗膜の転写（スタンプ）を容易にすることができると共に、転写位置を正確にすることができる。
【手続補正８】
【補正対象書類名】明細書
【補正対象項目名】００７４
【補正方法】変更
【補正の内容】
【００７４】
１  転写テープ
１０  ケース
１０ａ  開口部
１０ｂ  底部
１１  上ケース半体
１１ａ  側片
１１ｂ  段部
１２  下ケース半体
１２ａ  側片
１２ｂ  起立片
１３  転写押圧部
１３ａ  押圧面
１３ｄ，１３ｅ  ガイド片
１４ａ  第１の繰出しリール支持軸
１４ｂ  第２の繰出しリール支持軸
１５ａ  第１の巻取リール支持軸
１５ｂ  第２の巻取リール支持軸
１６ａ  第１の係止スリット
１６ｂ  第２の係止スリット
１７ａ  第１の係止爪
１７ｂ  第２の係止爪
１８  面状歯部
２０  繰出しリール（テープコア）
３０  巻取リール（スプール）
３１  回動軸
３３  巻取ギア
３４  ラチェット爪
４０  スライド部材
４１  枠部
４１ｅ  転写開口
４２  スライド部
４２ａ  窓孔
４２ｇ  板状突片
４３  ばね部
４４  ラックギア
５０  キャップ
５１  リブ
５２  補助リブ
【手続補正９】
【補正対象書類名】図面
【補正対象項目名】図３
【補正方法】変更
【補正の内容】
【図３】
2017163274.tif 000020
【手続補正１０】
【補正対象書類名】図面
【補正対象項目名】図４
【補正方法】変更
【補正の内容】
【図４】
2017163274.tif 000021
【手続補正１１】
【補正対象書類名】図面
【補正対象項目名】図５
【補正方法】変更
【補正の内容】
【図５】
2017163274.tif 000022
【国際調査報告】
2017163274.tif 000023
2017163274.tif 000024
2017163274.tif 000025
2017163274.tif 000026